(57)【要約】      （修正有）【課題】力率改善回路の出力電圧の安定化を図ることが可能な電源装置を提供する。【解決手段】今回のＬＥＤ出力幅Ｗ２と前回のＬＥＤ出力幅Ｗ２ｐとの差の絶対値｜Ｗ２−Ｗ２ｐ｜が所定の設定値Ｗｓよりも大きいか否かを判別しＳ２１、｜Ｗ２−Ｗ２ｐ｜＞Ｗｓである場合は力率改善回路５のフィードフォワード処理を行ないＳ２２，Ｓ２３、｜Ｗ２−Ｗ２ｐ｜＞Ｗｓでない場合はフィードフォワード処理を行なわない。したがって、余分なフィードフォワード処理を行なわないので力率改善回路の出力電圧が安定する。【選択図】図４
2013218917.tif 000002
【特許請求の範囲】
【請求項１】
交流電源からの交流電圧を整流する整流回路と、
平滑コンデンサと、
前記整流回路と前記平滑コンデンサの間に設けられ、前記交流電源の力率を改善するとともに前記平滑コンデンサを目標電圧に充電させる力率改善回路と、
前記平滑コンデンサと負荷の間に設けられ、負荷電流を調整する出力回路と、
前記力率改善回路および前記出力回路を制御する制御回路とを備え、
前記制御回路は、前記負荷電流を所定の範囲よりも大きく変化させる場合は、前記力率改善回路のフィードフォワード制御を行なった後に前記力率改善回路のフィードバック制御を行ない、前記負荷電流を前記所定の範囲内で変化させる場合は、前記フィードフォワード制御を行なわずに前記フィードバック制御のみを行なう、電源装置。
【請求項２】
交流電源からの交流電圧を整流する整流回路と、
平滑コンデンサと、
前記整流回路と前記平滑コンデンサの間に設けられ、前記交流電源の力率を改善するとともに前記平滑コンデンサを目標電圧に充電させる力率改善回路と、
前記平滑コンデンサと負荷の間に設けられ、負荷電流を調整する出力回路と、
前記力率改善回路および前記出力回路を制御する制御回路とを備え、
前記制御回路は、
コマンド信号に従って、互いに負荷電流が異なる複数の動作モードのうちのいずれかの動作モードを実行し、
前記動作モードの切換が指示された場合は、前記力率改善回路のフィードフォワード制御を行なった後に前記力率改善回路のフィードバック制御を行ない、前記動作モードの切換が指示されていない場合は、前記フィードフォワード制御を行なわずに前記フィードバック制御のみを行なう、電源装置。
【請求項３】
前記制御回路は、前記フィードバック制御を予め定められた回数実施しても前記平滑コンデンサの端子間電圧が前記目標電圧に到達しない場合は前記フィードフォワード制御を行なう、請求項１または請求項２に記載の電源装置。
【請求項４】
前記負荷は、発光ダイオードを用いた照明装置である、請求項１から請求項３までのいずれかに記載の電源装置。
【発明の詳細な説明】
【技術分野】
【０００１】
この発明は電源装置に関し、特に、ＬＥＤ（Light Emitting Diode：発光ダイオード）照明用の電源装置に関する。
【背景技術】
【０００２】
特許文献１には、交流電圧を整流する整流回路と、整流回路に接続され、交流電源の力率を改善するとともに第１の直流電圧を出力する力率改善回路と、第１の直流電圧を第２の直流電圧に変換してＬＥＤに印加するＤＣ（Direct Current：直流）／ＤＣコンバータと、これらを制御する制御回路とを備えたＬＥＤ照明用電源装置が開示されている。
【０００３】
このような力率改善回路の出力電圧を制御する方法としては、フィードバック制御とフィードフォワード制御がある。フィードバック制御は、力率改善回路の出力電圧を測定し、測定値の増減に従って力率改善回路のスイッチング出力幅（スイッチング素子のオン時間）を調整する方法である。フィードフォワード制御は、これから出力する負荷電流に基づいて力率改善回路のスイッチング出力幅を予め求め、負荷電流を出力する前にスイッチング出力幅を設定する方法である。
【先行技術文献】
【特許文献】
【０００４】
【特許文献１】特開２０１１−６５８７４号公報
【発明の概要】
【発明が解決しようとする課題】
【０００５】
しかし、従来のＬＥＤ照明用電源装置では、負荷電流の変化状態に関係なく、力率改善回路のフィードバック制御とフィードフォワード制御が別々に行なわれていたので、種々の問題があった。
【０００６】
すなわち、フィードバック制御のみでは、力率改善回路のスイッチング出力幅の調整が負荷電流の変化に追い付かず、力率改善回路の出力電圧と負荷電流との間にアンバランスが生じる。このため、ＬＥＤ照明のちらつきや揺らぎが発生し、最悪の場合には過電流や過電圧により装置を故障させてしまう恐れがあった。
【０００７】
また、フィードフォワード制御のみでは、力率改善回路のスイッチング出力幅の設定値と負荷電流が実際に安定するスイッチング出力幅との誤差が大きい場合には、力率改善回路の出力電圧に揺らぎが発生し、ＬＥＤ照明がちらつくという問題があった。特に、負荷電流を連続的に変化させる場合には、力率改善回路の出力電圧のゆらぎが頻発し、ＬＥＤ照明のちらつきが激しくなってしまう。
【０００８】
また、力率改善回路の出力電圧の揺らぎが大きくなると、交流電源の力率が低下してしまうという問題もあった。さらに、フィードフォワード制御を頻繁に行なうと、制御回路の負荷が増え、処理遅延が発生し、消費電力が増加してしまうという問題もある。
【０００９】
それゆえに、この発明の主たる目的は、力率改善回路の出力電圧の安定化を図ることが可能な電源装置を提供することである。
【課題を解決するための手段】
【００１０】
この発明に係る電源装置は、交流電源からの交流電圧を整流する整流回路と、平滑コンデンサと、整流回路と平滑コンデンサの間に設けられ、交流電源の力率を改善するとともに平滑コンデンサを目標電圧に充電させる力率改善回路と、平滑コンデンサと負荷の間に設けられ、負荷電流を調整する出力回路と、力率改善回路および出力回路を制御する制御回路とを備えたものである。制御回路は、負荷電流を所定の範囲よりも大きく変化させる場合は、力率改善回路のフィードフォワード制御を行なった後に力率改善回路のフィードバック制御を行ない、負荷電流を所定の範囲内で変化させる場合は、フィードフォワード制御を行なわずにフィードバック制御のみを行なう。
【００１１】
また、この発明に係る他の電源装置は、交流電源からの交流電圧を整流する整流回路と、平滑コンデンサと、整流回路と平滑コンデンサの間に設けられ、交流電源の力率を改善するとともに平滑コンデンサを目標電圧に充電させる力率改善回路と、平滑コンデンサと負荷の間に設けられ、負荷電流を調整する出力回路と、力率改善回路および出力回路を制御する制御回路とを備えたものである。制御回路は、コマンド信号に従って、互いに負荷電流が異なる複数の動作モードのうちのいずれかの動作モードを実行し、動作モードの切換が指示された場合は、力率改善回路のフィードフォワード制御を行なった後に力率改善回路のフィードバック制御を行ない、動作モードの切換が指示されていない場合は、フィードフォワード制御を行なわずにフィードバック制御のみを行なう。
【００１２】
好ましくは、制御回路は、フィードバック制御を予め定められた回数実施しても平滑コンデンサの端子間電圧が目標電圧に到達しない場合はフィードフォワード制御を行なう。
【００１３】
また好ましくは、負荷は、発光ダイオードを用いた照明装置である。
【発明の効果】
【００１４】
この発明に係る電源装置では、負荷電流を所定の範囲よりも大きく変化させる場合は、力率改善回路のフィードフォワード制御を行なった後にフィードバック制御を行ない、負荷電流を所定の範囲内で変化させる場合は、フィードフォワード制御を行なわずにフィードバック制御のみを行なう。したがって、不必要なフィードフォワード制御が行なわれることがないので、力率改善回路の出力電圧の安定化を図ることができる。このため、負荷を安定に動作させることができ、また、電源の力率を向上させることができ、さらには、制御回路の実行処理数を削減し、制御回路の負荷を軽減させることができる。
【００１５】
また、この発明に係る他の電源装置では、動作モードの切換が指示された場合は、力率改善回路のフィードフォワード制御を行なった後にフィードバック制御を行ない、動作モードの切換が指示されていない場合は、フィードフォワード制御を行なわずにフィードバック制御のみを行なう。したがって、不必要なフィードフォワード制御が行なわれることがないので、力率改善回路の出力電圧の安定化を図ることができる。このため、負荷を安定に動作させることができ、また、電源の力率を向上させることができ、さらには、制御回路の実行処理数を削減し、制御回路の負荷を軽減させることができる。
【図面の簡単な説明】
【００１６】
【図１】この発明の実施の形態１によるＬＥＤ照明用電源装置の構成を示す回路ブロック図である。
【図２】図１に示した力率改善回路のフィードバック制御を示すフローチャートである。
【図３】図１に示した出力回路のフィードバック制御を示すフローチャートである。
【図４】図１に示した力率改善回路のフィードフォワード制御を行なう場合を示すフローチャートである。
【図５】図１に示した力率改善回路のフィードフォワード制御を行なう他の場合を示すフローチャートである。
【図６】この発明の実施の形態２によるＬＥＤ照明用電源装置において力率改善回路のフィードフォワード制御を行なう場合を示すフローチャートである。
【発明を実施するための形態】
【００１７】
[実施の形態１]
本願の実施の形態１によるＬＥＤ照明用電源装置は、図１に示すように、入力端子Ｔ１，Ｔ２、出力端子Ｔ３，Ｔ４、整流回路２、コンデンサ３、分圧回路４，１１、力率改善回路５、平滑コンデンサ１０、出力回路１２、ＡＣ（Alternating Current：交流）ゼロクロス検出信号生成回路１８、および制御回路１９を備える。入力端子Ｔ１，Ｔ２は、交流電源１に接続される。出力端子Ｔ３，Ｔ４には、ＬＥＤ照明２０が接続される。
【００１８】
整流回路２は、交流電源１から入力端子Ｔ１，Ｔ２を介して与えられる交流電圧ＶＡＣを全波整流する。コンデンサ３は、力率改善回路５で発生したスイッチングノイズを接地電圧ＧＮＤのラインに流出させ、スイッチングノイズが交流電源１に流入するのを防止する。分圧回路４は、整流回路２の出力電圧Ｖ２を分圧して制御回路１９に与える。ＡＣゼロクロス検出信号生成回路１８は、交流電圧ＶＡＣのゼロクロス点を検出し、検出したゼロクロス点を示す信号φ１８を生成して制御回路１９に与える。
【００１９】
制御回路１９は、ＡＣゼロクロス点検出信号φ１８に同期して動作し、分圧回路４の出力電圧Ｖ４と同位相の電流が力率改善回路５に流れるように力率改善回路５を制御する。これにより、交流電源１からＬＥＤ照明用電源装置に与えられる交流電圧ＶＡＣと交流電流の位相が一致するように、すなわち力率が１になるように制御される。
【００２０】
力率改善回路５は、トランス６、ＮチャネルＭＯＳトランジスタ７、抵抗素子８、およびダイオード９を含む。トランス６の１次巻線の一方端子は、整流回路２の出力端子２ａに接続される。ダイオード９のアノードはトランス６の１次巻線の他方端子に接続され、そのカソードは出力端子Ｔ３に接続される。トランス６の１次巻線は、リアクトルとして使用される。トランジスタ７および抵抗素子８は、ダイオード９のアノードと接地電圧ＧＮＤのラインとの間に直列接続される。トランジスタ７のゲートは、制御回路１９からの制御信号ＣＮＴ１を受ける。
【００２１】
トランス６の２次巻線の端子間電圧Ｖ６は、制御回路１９に与えられ、１次巻線に流れる電流が０Ａになったことを検出するために使用される。抵抗素子８の端子間電圧Ｖ８は、制御回路１９に与えられ、トランジスタ７に過電流が流れるのを防止するために使用される。
【００２２】
また、平滑コンデンサ１０は、ダイオード９のカソードと接地電圧ＧＮＤのラインとの間に接続される。分圧回路１１は、平滑コンデンサ１０の端子間電圧を分圧して制御回路１９に与える。分圧回路１１の出力電圧Ｖ１１は、平滑コンデンサ１０の端子間電圧、すなわち力率改善回路５の出力電圧Ｖｏをモニタするために使用される。
【００２３】
制御信号ＣＮＴ１は、所定の周期で交互に「Ｌ」レベルおよび「Ｈ」レベルにされる。制御信号ＣＮＴ１が「Ｌ」レベルにされると、トランジスタ７がオフし、整流回路２の出力端子２ａからトランス６の１次巻線およびダイオード９を介して平滑コンデンサ１０に電流が流れ、平滑コンデンサ１０が充電される。
【００２４】
平滑コンデンサ１０が充電されてトランス６の１次巻線に流れる電流が０Ａになると、制御信号ＣＮＴ１が「Ｈ」レベルにされ、トランジスタ７がオンする。トランジスタ７がオンすると、整流回路２の出力端子２ａからトランス６の１次巻線、トランジスタ７、および抵抗素子８を介して接地電圧ＧＮＤのラインに電流が流れ、交流電源１の力率が改善される。このとき、トランス６の１次巻線に電磁エネルギーが蓄えられる。この電磁エネルギーは、トランジスタ７のオン時間に応じて増大する。
【００２５】
次いで制御信号ＣＮＴ１が「Ｌ」レベルにされると、トランジスタ７がオフし、整流回路２の出力端子２ａからトランス６の１次巻線およびダイオード９を介して平滑コンデンサ１０に電流が流れ、平滑コンデンサ１０が充電される。このときトランス６の１次巻線に蓄えられた電磁エネルギーが放出される。したがって、分圧回路１１の出力電圧Ｖ１１に基づいてトランジスタ７のオン時間を調整することにより、平滑コンデンサ１０の端子間電圧を調整することができる。
【００２６】
出力回路１２は、制御回路１９からの制御信号ＣＮＴ２によって制御され、平滑コンデンサ１０からＬＥＤ照明２０に流れる電流を調整する。すなわち、出力回路１２は、ダイオード１３、ＮチャネルＭＯＳトランジスタ１４、抵抗素子１５、リアクトル１６、およびコンデンサ１７を含む。ダイオード１３のカソードは出力端子Ｔ３に接続され、そのアノードはトランジスタ１４および抵抗素子１５を介して接地電圧ＧＮＤのラインに接続される。コンデンサ１７は、出力端子Ｔ３，Ｔ４間に接続される。リアクトル１６は、出力端子Ｔ４とダイオード１３のアノードとの間に接続される。抵抗素子１５の端子間電圧Ｖ１５は、制御回路１９に与えられ、出力電流Ｉｏをモニタするために使用される。
【００２７】
制御信号ＣＮＴ２は、所定の周期で交互に「Ｈ」レベルおよび「Ｌ」レベルにされる。制御信号ＣＮＴ２が「Ｈ」レベルにされると、トランジスタ１４がオンする。トランジスタ１４がオンすると、平滑コンデンサ１０の正極からＬＥＤ照明２０、リアクトル１６、トランジスタ１４、および抵抗素子１５を介して平滑コンデンサ１０の負極に電流が流れる。このとき、リアクトル１６に電磁エネルギーが蓄えられる。この電磁エネルギーは、トランジスタ１４のオン時間に応じて増大する。
【００２８】
制御信号ＣＮＴ２が「Ｌ」レベルにされると、トランジスタ１４がオフし、リアクトル１６、ダイオード１３、およびＬＥＤ照明２０の経路で電流が流れる。このときリアクトル１６に蓄えられた電磁エネルギーが放出される。したがって、トランジスタ１４のオン時間を調整することにより、出力電流ＩｏすなわちＬＥＤ照明の明るさを調整することができる。
【００２９】
制御回路１９は、たとえばマイクロコンピュータで構成され、信号φ１８および電圧Ｖ４，Ｖ６，Ｖ８，Ｖ１１，Ｖ１５と、外部からのコマンド信号ＣＭＤに基づいて制御信号ＣＮＴ１，ＣＮＴ２を生成する。コマンド信号ＣＭＤは、ＬＥＤ照明２０の明るさなどを指示する信号である。制御回路１９は、ＰＷＭ（Pulse Width Modulation：パルス幅変調）方式によって力率改善回路５および出力回路１２の各々を制御する。
【００３０】
図２は、力率改善回路５のフィードバック制御を示すフローチャートである。図２以降では、力率改善回路５の出力電圧ＶｏをＰＦＣ（Power Factor Control：力率改善）出力電圧値Ｖｏと称す。また、制御信号ＣＮＴ１が「Ｈ」レベルである期間の幅（パルス幅）をＰＦＣ出力幅Ｗ１と称す。
【００３１】
ステップＳ１において制御回路１９は、分圧回路１１の出力電圧Ｖ１１に基づいて、ＰＦＣ出力電圧値Ｖｏを測定する。ステップＳ２において制御回路１９は、目標電圧値Ｖｔと測定したＰＦＣ出力電圧値Ｖｏの差の絶対値｜Ｖｔ−Ｖｏ｜が設定値Ｖｓ１よりも小さいか否かを判別する。
【００３２】
ステップＳ２において｜Ｖｔ−Ｖｏ｜＜Ｖｓ１であると判別した場合は、ステップＳ３において制御回路１９は、ＰＦＣ出力幅Ｗ１を変更せずに制御信号ＣＮＴ１の波形を生成し、その制御信号ＣＮＴ１を出力する。この場合は、制御信号ＣＮＴ１の「Ｈ」レベルの期間の長さは変更されず、ＰＦＣ出力電圧Ｖｏは現在の値に維持される。
【００３３】
ステップＳ２において｜Ｖｔ−Ｖｏ｜＜Ｖｓ１でないと判別した場合は、ステップＳ４において制御回路１９は、ＰＦＣ出力電圧Ｖｏが目標電圧Ｖｔよりも小さいか否かを判別する。ステップＳ４においてＶｏ＜Ｖｔであると判別した場合は、ステップＳ５において制御回路１９は、ＰＦＣ出力幅Ｗ１を所定量だけ増やしてステップＳ３に進む。この場合は、制御信号ＣＮＴ１の「Ｈ」レベルの期間の長さが増大され、ＰＦＣ出力電圧Ｖｏが上昇する。
【００３４】
ステップＳ４においてＶｏ＜Ｖｔでないと判別した場合は、ステップＳ６において制御回路１９は、ＰＦＣ出力幅Ｗ１を所定量だけ減らしてステップＳ３に進む。この場合は、制御信号ＣＮＴ１の「Ｈ」レベルの期間の長さが減少され、ＰＦＣ出力電圧Ｖｏが低下する。したがって、ＰＦＣ出力電圧値Ｖｏは目標電圧値Ｖｔになるように、力率改善回路５が制御される。このＰＦＣフィードバック処理（ステップＳ１〜Ｓ６）は、交流電圧ＶＡＣの１周期が経過する毎、あるいは予め設定された所定の周期で実行される。
【００３５】
図３は、出力回路１２のフィードバック制御を示すフローチャートである。図３以降では、出力回路１２の出力電流ＩｏをＬＥＤ出力電流値Ｉｏと称す。また、制御信号ＣＮＴ２が「Ｈ」レベルである期間の幅（パルス幅）をＬＥＤ出力幅Ｗ２と称す。
【００３６】
ステップＳ１１において制御回路１９は、現在の目標電流値Ｉｔを読み出すか、計算する。ステップＳ１２において制御回路１９は、抵抗素子１５の端子間電圧Ｖ１５に基づいて、ＬＥＤ出力電流値Ｉｏを測定する。ステップＳ１３において、ＬＥＤ出力電流値Ｉｏと目標電流値Ｉｔとの差分（Ｉｏ−Ｉｔ）を計算する。ステップＳ１４において、電流差分（Ｉｏ−Ｉｔ）と前回のＬＥＤ出力幅Ｗ２ｐから今回のＬＥＤ出力幅Ｗ２を計算する。
【００３７】
ステップＳ１５において、今回のＬＥＤ出力幅Ｗ２を用いて制御信号ＣＮＴ２の波形を生成し、その制御信号ＣＮＴ２を出力する。ステップＳ１６において、今回のＬＥＤ出力幅Ｗ２を前回のＬＥＤ出力幅Ｗ２ｐとする。このＬＥＤフィードバック処理（ステップＳ１１〜Ｓ１６）は、交流電圧ＶＡＣの１周期が経過する毎、あるいは予め設定された所定の周期で実行される。
【００３８】
図４は、力率改善回路５のフィードフォワード制御を行なう場合を示すフローチャートである。フィードフォワード制御は、図３で示したＬＥＤフィードバック処理において今回のＬＥＤ出力幅Ｗ２と前回のＬＥＤ出力幅Ｗ２ｐが決定したときに可能となる。ステップＳ２１において制御回路１９は、今回のＬＥＤ出力幅Ｗ２と前回のＬＥＤ出力幅Ｗ２ｐとの差の絶対値｜Ｗ２−Ｗ２ｐ｜が所定の設定値Ｗｓよりも大きいか否かを判別する。
【００３９】
ステップＳ２１において｜Ｗ２−Ｗ２ｐ｜＞Ｗｓであると判別した場合、ステップＳ２２において制御回路１９は、ＬＥＤ出力幅Ｗ２に応じたＰＦＣ出力幅Ｗ１を計算する。ステップＳ２３において制御回路１９は、ＰＦＣ出力幅Ｗ１に基づいて制御信号ＣＮＴ１の波形を作成して出力し、ステップＳ２４に進む。ステップＳ２１において｜Ｗ２−Ｗ２ｐ｜＞Ｗｓでないと判別した場合は、直接、ステップＳ２４に進む。ステップＳ２４において制御回路１９は、図２で示したＰＦＣフィードバック処理を行なう。ステップＳ２２，Ｓ２３がＰＦＣフィードフォワード処理である。
【００４０】
なお、｜Ｗ２−Ｗ２ｐ｜＞Ｗｓである場合は、ＬＥＤ出力電流値（負荷電流値）Ｉｏを所定の範囲よりも大きく変化させるので、ＬＥＤ出力電流値Ｉｏが目標電流値Ｉｔに迅速に到達するように、力率改善回路５のフィードフォワード処理（Ｓ２２，Ｓ２３）を行なった後に力率改善回路のフィードバック処理（Ｓ１〜Ｓ６）を行なう。
【００４１】
また、｜Ｗ２−Ｗ２ｐ｜＞Ｗｓでない場合は、ＬＥＤ出力電流値（負荷電流値）Ｉｏを所定の範囲よりも小さく変化させるので、力率改善回路５のフィードフォワード処理（Ｓ２２，Ｓ２３）を行なわずに力率改善回路のフィードバック処理（Ｓ１〜Ｓ６）を行なう。
【００４２】
図５は、力率改善回路５のフィードフォワード制御を行なう他の場合を示すフローチャートである。ステップＳ３１において制御回路１９は、図２で示したＰＦＣフィードバック処理を行なう。ステップＳ３２において制御回路１９は、ＰＦＣフィードバック処理の回数Ｎが所定回数Ｎｓ以上か否かを判別する。ステップＳ３２においてＮ≧Ｎｓであると判別した場合はステップＳ３３に進み、Ｎ≧Ｎｓでないと判別した場合はステップＳ３１に戻る。たとえば、負荷電流の変化が大き過ぎる場合にＮ≧Ｎｓとなる。
【００４３】
制御回路１９は、ステップＳ３３においてＰＦＣ出力電圧値Ｖｏを測定し、ステップＳ３４においてＰＦＣ出力電圧値Ｖｏと目標電圧Ｖｔの差の絶対値｜Ｖｏ−Ｖｔ｜が設定値Ｖｓ２よりも大きいか否かを判別する。ステップＳ３４において｜Ｖｏ−Ｖｔ｜＞Ｖｓ２であると判別した場合はステップＳ３５においてＰＦＣフィードフォワード処理を行なう。ステップＳ３４において｜Ｖｏ−Ｖｔ｜＞Ｖｓ２でないと判別した場合は、ＰＦＣフィードフォワード処理を行なわない。
【００４４】
この実施の形態１では、負荷電流が一定の場合および負荷電流を緩やかに変化させる場合は、力率改善回路５のフィードフォワード制御を行なわずにフィードバック制御のみを行なう。また、負荷電流を急激に変化させることが事前に分かっている場合には、まずフィードフォワード制御を行ない、その後にフィードバック制御を行なう。したがって、不必要なフィードフォワード処理を行なわないので、ＰＦＣ出力電圧値Ｖｏの変動を抑え、ＬＥＤ照明２０のちらつきを抑え、交流電源１の力率を向上させるとともに、制御回路１９の負荷を軽減させることができる。
【００４５】
また、フィードフォワード処理を行なわない判断した場合であっても、フィードバック処理を任意の回数実施してもなおＰＦＣ出力電圧値Ｖｏが目標電圧Ｖｔに達しないときは、フィードフォワード処理を行なうことにより、さらに交流電源１の力率を向上させることができる。
【００４６】
[実施の形態２]
図６は、この発明の実施の形態２によるＬＥＤ照明用電源装置において力率改善回路のフィードフォワード制御を行なう場合を示すフローチャートであって、図４と対比される図である。実施の形態２が実施の形態１と異なる点は、図４の動作が図６の動作で置換されている点である。
【００４７】
制御回路１９は、コマンド信号ＣＭＤに従って、全灯モード、半灯モード、消灯モード、常夜灯モードなどの複数の動作モードのうちのいずれかの動作モードを選択し、選択した動作モードでＬＥＤ照明２０を発光させる。全灯モードは、ＬＥＤ照明２０を最大の明るさを発光させるモードである。半灯モードは、ＬＥＤ照明２０を最大の明るさの半分の明るさで発光させるモードである。階調調整モードは、ユーザによって設定された明るさでＬＥＤ照明２０を発光させるモードである。ユーザによって設定された明るさは、コマンド信号ＣＭＤに含まれている。消灯モードは、ＬＥＤ照明２０を消灯させるモードである。常夜灯モードは、所定の明るさでＬＥＤ照明２０を発光させるモードである。これらの動作モードは、互いに負荷電流が異なる。
【００４８】
ステップＳ４１において制御回路１９は、コマンド信号ＣＭＤに基づいて動作モードの遷移が発生したか否かを判別し、動作モードの遷移が発生した場合はステップＳ４２に進み、動作モードの遷移が発生していない場合はステップＳ４５に進む。
【００４９】
ステップＳ４２において制御回路１９は、遷移後の動作モードに応じたＬＥＤ出力幅Ｗ２を読み出すか計算する。ステップＳ４３において制御回路１９は、ＬＥＤ出力幅Ｗ２に応じたＰＦＣ出力幅Ｗ１を計算する。ステップＳ４４において制御回路１９は、ＰＦＣ出力幅Ｗ１に基づいて制御信号ＣＮＴ１の波形を作成して出力する。ステップＳ４５において制御回路１９は、図２で示したＰＦＣフィードバック処理を行なう。ステップＳ４３，Ｓ４４がＰＦＣフィードフォワード処理である。
【００５０】
なお、動作モードの遷移が発生する場合は、ＬＥＤ出力電流値（負荷電流値）Ｉｏを所定の範囲よりも大きく変化させるので、ＬＥＤ出力電流値Ｉｏが目標電流値Ｉｔに迅速に到達するように、力率改善回路５のフィードフォワード処理（Ｓ４３，Ｓ４４）を行なった後に力率改善回路のフィードバック処理（Ｓ１〜Ｓ６）を行なう。
【００５１】
また、動作モードの遷移が発生しない場合は、ＬＥＤ出力電流値（負荷電流値）Ｉｏを所定の範囲よりも小さく変化させるので、力率改善回路５のフィードフォワード処理（Ｓ４３，Ｓ４４）を行なわずに力率改善回路のフィードバック処理（Ｓ１〜Ｓ６）を行なう。他の構成および動作は実施の形態１と同じであるので、その説明は繰り返さない。この実施の形態２でも、実施の形態１と同じ効果が得られる。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５３】
１  交流電源、２  整流回路、３，１７  コンデンサ、４，１１  分圧回路、５  力率改善回路、６  トランス、７，１４  ＮチャネルＭＯＳトランジスタ、８，１５  抵抗素子、９，１３  ダイオード、１０  平滑コンデンサ、１２  出力回路、１６  リアクトル、１８  ＡＣゼロクロス検出信号生成回路、１９  制御回路、２０  ＬＥＤ照明、Ｔ１，Ｔ２  入力端子、Ｔ３，Ｔ４  出力端子。
【図１】
2013218917.tif 000003
【図２】
2013218917.tif 000004
【図３】
2013218917.tif 000005
【図４】
2013218917.tif 000006
【図５】
2013218917.tif 000007
【図６】
2013218917.tif 000008